(57)【要約】【課題】ファーブラシは異形化処理が施された線接触形状部により像担持体の表面と線接触して、像担持体の表面のトナー像を記録媒体に転写することで、欠陥のない良質な画像を得る転写装置を提供する。【解決手段】感光体４上のトナー像を転写させるべく転写工程において、像担持体４、７には転写ベルト６２を以って感光体４に接触転写させかつ転写ベルト６２に転写バイアスを印加すべく転写ベルト６２の像担持体４、７ではない側に転写バイアス印加ブラシ６１を転写ベルト６２に接触させる構成をした転写方式であり、かつ転写バイアス印加ブラシ糸６１１の断面形状は上記転写ベルト６２の表面と線接触可能な線接触形状を有している転写装置６である。【選択図】      図１
2008158033.tif 000002
【特許請求の範囲】
【請求項１】
像担持体上のトナー像を転写させる転写装置において、
前記像担持体には転写ベルトを像担持体に接触させて、
前記転写ベルトの像担持体ではない側に転写バイアス印加ブラシを転写ベルトに接触させて転写バイアスを印加する転写装置であって、かつ、
該転写バイアス印加ブラシの断面形状は、上記転写ベルトの表面と線接触させる線接触形状を有している
ことを特徴とする転写装置。
【請求項２】
請求項１に記載の転写装置において、
前記転写バイアス印加ブラシを設ける基体は、板部材である
ことを特徴とする転写装置。
【請求項３】
請求項１又は２に記載の転写装置において、
前記転写バイアス印加ブラシ糸の断面形状である線接触形状は、像担持体の表面と線接触する放射形状からなる線接触放射形状である
ことを特徴とする転写装置。
【請求項４】
請求項１又は２に記載の転写装置において、
前記転写バイアス印加ブラシ糸の断面形状である線接触形状は、像担持体の表面と線接触する井型形状からなる線接触井型形状である
ことを特徴とする転写装置。
【請求項５】
請求項１又は２に記載の転写装置において、
前記転写バイアス印加ブラシ糸の断面形状である線接触形状は、像担持体の表面と線接触する扁平形状からなる線接触扁平形状である
ことを特徴とする転写装置。
【請求項６】
請求項１又は２に記載の転写装置において、
前記転写バイアス印加ブラシ糸の断面形状である線接触形状は、像担持体の表面と線接触する多角形状からなる線接触多角形状である
ことを特徴とする転写装置。
【請求項７】
請求項１、２又は３に記載の転写装置において、
像担持体とは感光体である
ことを特徴とする転写装置。
【請求項８】
請求項１、２又は３に記載の転写装置において、
像担持体とは中間転写体である
ことを特徴とする転写装置。 
【発明の詳細な説明】
【技術分野】
【０００１】
本発明は、複写機、ファクシミリ装置、プリンタあるいはこれ等の複合機等の電子写真方式の画像形成装置の像担持体のトナー像を記録媒体に転写する転写装置に関するものである。
【背景技術】
【０００２】
電子写真方法を採用した画像形成装置では、像担持体である感光体上や中間転写体上に担持された可視像であるトナー画像の転写工程が終了すると、像担持体である感光体上や中間転写体上に残存している余剰トナーの除去を行うクリーニング工程が実行される。クリーニング工程は、像担持体である感光体の表面や中間転写体の表面にクリーニングブレードやファーブラシを圧接して、像担持体である感光体の表面や中間転写体の表面に付着、又は、形成する現像剤等の異物を掻き取って除去するようになっている。従来から転写工程の加圧力に関する課題について、また転写工での加圧力を均一化させる技術については色々開示されてはいる。（特許文献１、特許文献２、特許文献３、特許文献４、特許文献５）
また、ブラシ糸の断面形状を丸形状ではなく異型形状をしているブラシについて構成することに関しては開示されている。（特許文献６）
【０００３】
従って、従来の転写装置は、ファーブラシの繊維断面は丸（真円）形状のものが主であり、像担持体である感光体の表面や中間転写体の表面に付着、又は、形成する現像剤等のトナー像を転写することが不十分で、ループ状繊維のものは、像担持体である感光体の表面や中間転写体の長手方向に対して、線で接触するので異物の掻き取り能力は向上するものの、ループを形成する際に、ある程度ループ形状が大きなものとなってしまうために、像担持体である感光体の表面や中間転写体の表面に対する摺擦能力のバラツキがどうしても生じてしまい、長期的な経時においては、やはり像担持体である感光体の表面や中間転写体の表面を荒れた形状に削ってしまい、像担持体である感光体や中間転写体が早期寿命となってコスト高になってしまうだけでなく、異物掻き取り能力が無くなり異常画像を引き起こすと言う不具合が生じていた。
【０００４】
この傷を起点として、トナーが感光体上にフィルミングしてしまい、経時にて、感光体表面上のフィルミングした箇所の電位が除去できないことで、例えば、画像形成部に露光するような画像形成装置では白ポチとして異常画像が発生してしまう。また、像担持体から転写紙等にトナー像を接触転写させる際に転写工程の局部的な加圧によりトナー層が圧縮され、トナーと転写工程との間で離型性が低下しトナーの一部が像担持体に残ってしまい転写紙等に転写して画像の一部に欠損がある、いわゆる虫食い画像が発生する可能性があった。
【０００５】
【特許文献１】特許第２７９８０９７号
【特許文献２】特許第３５１５２７４号
【特許文献３】特開平１１−２９６００４
【特許文献４】特開２００１−０５１５１８
【特許文献５】特開昭５９−０９５３６９
【特許文献６】特開２００６−１８００９
【発明の開示】
【発明が解決しようとする課題】
【０００６】
そこで、本発明は上記問題点に鑑みてなされたものであり、その課題は、ファーブラシは異形化処理が施された線接触形状部により像担持体の表面と線接触して、像担持体の表面のトナー像を記録媒体に転写することで、欠陥のない良質な画像を得る転写装置を提供することである。
【課題を解決するための手段】
【０００７】
上記課題を解決する手段である本発明の特徴を以下に挙げる。
本発明の転写装置は、像担持体上のトナー像を転写させるべく転写工程において、像担持体には転写ベルトを以って像担持体に接触転写させかつ転写ベルトに転写バイアスを印加すべく転写ベルトの像担持体ではない側に転写バイアス印加ブラシを転写ベルトに接触させる構成をした転写方式であり、かつ転写バイアス印加ブラシの断面形状は上記転写ベルトの表面と線接触可能な線接触形状を有していることを特徴とする。
本発明の転写装置は、基体は、板部材であることを特徴とする。
本発明の転写装置は、転写バイアス印加ブラシ糸の断面形状である線接触形状は、像担持体の表面と線接触する放射形状からなる線接触放射形状であることを特徴とする。
本発明の転写装置は、転写バイアス印加ブラシ糸の断面形状である線接触形状は、像担持体の表面と線接触する井型形状からなる線接触井型形状であることを特徴とする。
本発明の転写装置は、転写バイアス印加ブラシ糸の断面形状である線接触形状は、像担持体の表面と線接触する扁平形状からなる線接触扁平形状であることを特徴とする。
本発明の転写装置は、転写バイアス印加ブラシ糸の断面形状である線接触形状は、像担持体の表面と線接触する多角形状からなる線接触多角形状であることを特徴とする。
本発明の転写装置は、像担持体とは感光体であることを特徴とする。
本発明の転写装置は、像担持体とは中間転写体であることを特徴とする。
【発明の効果】
【０００８】
本発明の転写装置によって、ファーブラシは異形化処理が施された線接触形状部により像担持体の表面と線接触して、像担持体の表面のトナー像を記録媒体に転写することで、欠陥のない良質な画像を得ることができる。
【発明を実施するための最良の形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１０】
図１は、本発明の転写装置を用いる画像形成装置の構成を示す概略図である。
図１において、画像形成装置本体１０には、潜像担持体としての感光体４の周囲に帯電装置１、露光２を発光する露光装置２、現像装置３、クリーニング装置５、そして転写装置６等の電子写真プロセスを実行する各手段を備えている。た画像形成ユニットを４つ並列に備えたタンデム型画像形成装置が設置されている。画像情報に基づいて感光体４をレーザー光により露光し潜像を形成する露光装置２が設けられている。
上記の画像形成装置の動作は以下の通りである。
初めに、帯電装置１で感光体４にマイナス極性の帯電をしその帯電した感光体４にレーザ光等の光を露光装置２から照射して、潜像を形成する。その潜像を、感光体４とは逆の極性に帯電したトナー又は現像装置のバイアスを利用することで同極性のトナーをで、潜像を現像して、未定着ながら可視することができるトナー像を形成する。このトナー像を、転写装置６で直接に又は中間転写体７に介して、記録媒体である転写紙に転写する。その後、図示しない定着装置に搬送し、熱及び圧力で転写紙上に固定する。
【００１１】
図２は、本発明の転写装置を用いるフルカラー画像形成用の画像形成装置で、その構成を示す概略図である。カラー画像を形成する場合は、各色の現像装置３を感光体４の周囲に配置して、かく色ごとのトナー像を、中間転写体７に転写して重ね合わせ、その重ね合わせたカラートナー像を転写装置６によって転写紙に転写する。その後は、図示しない定着装置に搬送し、熱及び圧力で転写紙上に固定する。なお、画像形成装置１０はリボルバ現像方式の多色画像形成装置であってもよいし、乾式現像剤を用いるいずれの画像形成装置にも適用することができる。中間転写体７は、好ましくは、ベルト状の弾性体をローラに架け渡した構成にすることで、装置のレイアウトが自由になり、装置の小型化を図ることができる。しかし、特に、ベルトに限定するものではなく、ドラム状であっても良い。
【００１２】
図３は、本発明の転写装置において基体６１２を板部材で構成した一例図を示したものである。転写ベルト６２に対し転写バイアス印加ブラシ６１が１点破線で示した様にしっかりとニップを以っているため転写ベルト６２が感光体４に対してニップを確実に保てている。
これによって、担持体には転写ベルト６２を以って像担持体４、７に接触転写させかつ転写ベルト６２に転写バイアスを印加すべく転写ベルト６２の像担持体４、７ではない側に転写バイアス印加ブラシ６１を転写ベルト６２に接触させる構成をした転写方式であり、かつ転写バイアス印加ブラシ６１の断面形状は上記転写ベルト６２の表面と線接触可能な線接触形状を有していることにより、像担持体４、７から転写紙等にトナー像を接触転写させる際に転写工程の局部的な加圧によりトナー層が圧縮され、トナーと転写工程との間で離型性が低下しトナーの一部が感光体４に残ってしまい転写紙等に転写して画像の一部に欠損がある、いわゆる虫食い画像が発生するという不具合に対し、とても少構成な部材にて改善し欠陥のない良質な画像を提供することが可能となるものである。また、加圧力が均一化されることで転写ベルト６２の転写効率もあがり、転写ベルト寿命にも寄与することが可能となる。
【００１３】
また、基体６１２を板部材で構成することにより、像担持体４、７に対する転写のニップを確実に保ち転写工程での加圧を容易に均一にすることが可能となり、虫食い画像に対しとても少構成な部材にて更に確実に改善させることができるものである。像担持体とは感光体４であることで、感光体上のトナー像に対し虫食い画像をとても少構成な部材にて起こさないことができるものである。また、転写装置６において、像担持体とは中間転写体７であることで、中間転写体７上のトナー像に対し虫食い画像をとても少構成な部材にて起こさないことができるものである。
【００１４】
図４、図５は、本発明の転写装置において転写バイアス印加ブラシ糸６１１の断面形状である線接触形状を、像担持体の表面と線接触する放射形状からなる線接触放射形状で構成した一例図を示したものである。転写バイアス印加ブラシ６１の転写バイアス印加ブラシ糸６１１が放射形状になっていることで転写ベルト６２に対し一点破線で示した様に線接触させることができるものである。転写バイアス印加ブラシ６１の転写バイアス印加ブラシ糸６１１の断面形状である線接触形状を、像担持体４、７の表面と線接触する放射形状からなる線接触放射形状で構成することにより、転写工程での加圧を容易に均一にすることが可能となり、虫食い画像に対しとても少構成な部材にて更に確実に改善させることができるものである。
【００１５】
また、図６、図７は、本発明の転写装置において転写バイアス印加ブラシ糸６１１の断面形状である線接触形状を、像担持体４、７の表面と線接触する井型形状からなる線接触放射形状で構成した一例図を示したものである。転写バイアス印加ブラシ糸６１１が井型形状になっていることで転写ベルト６２に対し一点破線で示した様に線接触させることができるものである。転写バイアス印加ブラシ糸６１１の断面形状である線接触形状は、像担持体４、７の表面と線接触する井型形状からなる線接触井型形状構成することにより、転写工程での加圧を容易に均一にすることが可能となり、虫食い画像に対しとても少構成な部材にて更に確実に改善させることができるものである。
【００１６】
同様に、図８、図９は、本発明の転写装置において転写バイアス印加ブラシ糸６１１の断面形状である線接触形状を、像担持体４、７の表面と線接触する扁平形状からなる線接触放射形状で構成した一例図を示したものである。転写バイアス印加ブラシ糸６１１が扁平形状になっていることで転写ベルト６２に対し一点破線で示した様に線接触させることができるものである。転写バイアス印加ブラシ糸６１１の断面形状である線接触形状は、像担持体４、７の表面と線接触する扁平形状からなる線接触扁平形状構成することにより、転写工程での加圧を容易に均一にすることが可能となり、虫食い画像に対しとても少構成な部材にて更に確実に改善させることができるものである。
【００１７】
また、図１０、図１１は、本発明の転写装置において転写バイアス印加ブラシ糸６１１の断面形状である線接触形状を、像担持体４、７の表面と線接触する多角形状からなる線接触放射形状で構成した一例図を示したものである。転写バイアス印加ブラシ糸６１１が多角形状になっていることで転写ベルト６２に対し一点破線で示した様に線接触させることができるものである。転写バイアス印加ブラシ糸６１１の断面形状である線接触形状は、像担持体４、７の表面と線接触する多角形状からなる線接触多角形状構成することにより、転写工程での加圧を容易に均一にすることが可能となり、虫食い画像に対しとても少構成な部材にて更に確実に改善させることができるものである。
【００１８】
図１２、図１３は、本発明の転写装置において転写バイアス印加ブラシ糸６１１の断面形状を従来から用いられている丸形状で構成した場合における図を示したものである。転写バイアス印加ブラシ糸６１１が丸形状のため転写ベルト６２に対し点接触でしか接触できていなものである。
図１４は、従来から用いられている丸形状と本発明に関わる線接触形状との、像担持体４、７と転写装置のニップ部における加圧力分布を示したグラフである。従来の転写バイアス印加ブラシ６１では像担持体４、７と転写ベルト６２との加圧力にバラツキが生じているのに対し（図１４（ａ））、本発明の転写バイアス印加ブラシ６１を用いた場合は像担持体４、７と転写ベルト６２との加圧力はほぼ一定に保たれている（図１４（ｂ））。
【図面の簡単な説明】
【００１９】
【図１】本発明の転写装置を用いる画像形成装置の構成を示す概略図である。
【図２】本発明の転写装置を用いるフルカラー画像形成用の画像形成装置で、その構成を示す概略図である。
【図３】本発明の転写装置において基体を板部材で構成した一例図を示したものである。
【図４】本発明の転写装置において転写バイアス印加ブラシ糸の断面形状を示す図である。
【図５】本発明の転写装置において転写バイアス印加ブラシ糸と像担持体の表面と接触する状態を示す図である。
【図６】本発明の転写装置において転写バイアス印加ブラシ糸の断面形状を示す図である。
【図７】本発明の転写装置において転写バイアス印加ブラシ糸と像担持体の表面と接触する状態を示す図である。
【図８】本発明の転写装置において転写バイアス印加ブラシ糸の断面形状を示す図である。
【図９】本発明の転写装置において転写バイアス印加ブラシ糸と像担持体の表面と接触する状態を示す図である。
【図１０】本発明の転写装置において転写バイアス印加ブラシ糸の断面形状を示す図である。
【図１１】本発明の転写装置において転写バイアス印加ブラシ糸と像担持体の表面と接触する状態を示す図である。
【図１２】従来の転写バイアス印加ブラシ糸の断面形状を示す図である。
【図１３】従来の転写バイアス印加ブラシ糸と像担持体の表面と接触する状態を示す図である。
【図１４】従来から用いられている丸形状と本発明に関わる線接触形状との、像担持体と転写装置のニップ部における加圧力分布を示したグラフである。
【符号の説明】
【００２０】
１  帯電装置
２  露光
３  現像装置
４  感光体（像担持体）
５  クリーニング装置
６  転写装置
６１  転写バイアス印加ブラシ
６１１  ブラシ糸
６１２  基体
６２  転写ベルト
７  中間転写体（像担持体）
１０  画像形成装置
【図１】
2008158033.tif 000003
【図２】
2008158033.tif 000004
【図３】
2008158033.tif 000005
【図４】
2008158033.tif 000006
【図５】
2008158033.tif 000007
【図６】
2008158033.tif 000008
【図７】
2008158033.tif 000009
【図８】
2008158033.tif 000010
【図９】
2008158033.tif 000011
【図１０】
2008158033.tif 000012
【図１１】
2008158033.tif 000013
【図１２】
2008158033.tif 000014
【図１３】
2008158033.tif 000015
【図１４】
2008158033.tif 000016